(57)【要約】      （修正有）【課題】排気ガスに含まれる油の付着による動作不良を防止でき、焼肉店や家庭内に設置可能な排気ダクトにも使用できるダクト用点検窓を提供する。【解決手段】排気ダクト９に形成された開口部１０の周囲を挟み込むようにして開口部１０を塞ぐことができる点検窓１であって、排気ダクトの外側に保持可能な外蓋２と、排気ダクトに対して傾斜させることにより、開口部１０を通過可能な内蓋３と、内蓋に基部を固定したネジ部材４と、ネジ部材にバネ部材５を介して遊嵌された外蓋２のさらに外側に螺合可能なナット部材６とを備えている。【選択図】図１
0003215946.tif 000002
【実用新案登録請求の範囲】
【請求項１】
ダクトに形成された点検穴の周囲を外蓋と内蓋との間に挟み込むようにして該点検穴を塞ぐことができるダクト用点検窓であって、
前記内蓋は、該内蓋を傾斜させることにより、前記点検穴を挿通可能な寸法形状を有するとともに、
前記内蓋に立設したネジ部材と、
前記ネジ部材に前記バネ部材を介して遊嵌された前記外蓋のさらに外側に螺合可能なナット部材と、
を備えていることを特徴とするダクト用点検窓。
【請求項２】
前記ネジ部材の先端に、前記内蓋を傾斜させるためのレバーを設けていることを特徴とする請求項１記載のダクト用点検窓。
【請求項３】
前記内蓋に、前記点検穴の周囲に当接可能なパッキンを設けていることを特徴とする請求項１又は２項に記載のダクト用点検窓。
【請求項４】
前記内蓋と前記点検穴とはともに四角形であり、前記内蓋の長辺は前記点検穴の対角線よりも短くて、前記内蓋の短辺は前記点検穴の短辺よりも長いことを特徴とする請求項１〜３のいずれか１項に記載のダクト用点検窓。
【考案の詳細な説明】
【技術分野】
【０００１】
本考案は、ダクト用点検窓に関し、特に焼肉店や家庭内に設置可能な排気ダクト用点検窓に好適である。
【背景技術】
【０００２】
従来、ダクトの点検及び清掃口が種々開発されている。
【０００３】
例えば特許文献１では、空調ダクトに形成した開口部の表裏に不燃ないしは難燃性のパッキンを貼付し、回転自在なネジ軸を設けた蓋板並びに十字脚の中心にナット部材を設け該ナット部材に前記蓋板のネジ軸をネジ込んだ押え板を備え、前記押え板を前記開口部の内側に接合し、前記蓋板を開口部の外側に接合して前記ネジ軸を締め付けて蓋板と押え板を開口部に固定して蓋板でダクト開口部を覆うことを特徴とする空調用ダクトの点検及び清掃口が開示されている。
【０００４】
この空調用ダクトの点検及び清掃口によれば、開口部の内側部分に押え板を接合し、外側部分に蓋板を接合し、両者を前記ネジ軸で締め付けることにより、開口部を気密に閉塞しうるものであって、開閉自在で、かつ、口径の大きな点検口が得られる、と記載されている。ここでは、押え板は十字脚であるから、開口部の気密はもっぱら外側部分に接合する蓋板だけで保持されている。したがって、その開閉動作を行うネジ軸とナット部材との螺合部分は、常時ダクト内の雰囲気にさらされている。
【考案の概要】
【考案が解決しようとする課題】
【０００５】
ところで、例えば焼肉店や家庭内に設置可能な排気ダクトの内側には、調理器の煙によって運ばれてくる油が大量に付着しており、火災予防のため定期にあるいは不定期に点検して、油を除去してやる必要がある。しかしながら、特許文献１は、空調ダクトの点検及び清掃口であるから、そのまま焼肉店や家庭内に設置可能な排気ダクト用点検窓に適用すると、その付着した油が蓋板の開閉動作を行うネジ軸とナット部材との螺合部分に入り込んで固着することから動作不良を生じかねない。
【０００６】
そこで、蓋板を２枚用意し、それらの間に開口部を挟み込むことが考えられるが、ダクト内外の気圧差により、内側の蓋板が外側の蓋板の向きに押圧されて変形する。その場合は、ネジ軸を逆転させてナット部材との螺合を解除したとしても、内側の蓋板が外側の蓋板と離間しにくくなる結果、その内側の蓋板が開口部から脱出困難となるおそれがある。
【０００７】
本考案は、上記事情に鑑みたものであり、その目的とするところは、例えば焼肉店や家庭内に設置可能な排気ダクトにも使用できるダクト用点検窓を提供することである。
【課題を解決するための手段】
【０００８】
本考案は、ダクトに形成された点検穴の周囲を外蓋と内蓋との間に挟み込むようにして該点検穴を塞ぐことができるダクト用点検窓であって、前記内蓋は、該内蓋を傾斜させることにより、前記点検穴を挿通可能な寸法形状を有するとともに、前記内蓋に立設したネジ部材と、前記ネジ部材に前記バネ部材を介して遊嵌された前記外蓋のさらに外側に螺合可能なナット部材とを備えていることを特徴とするものである。
【０００９】
本考案によれば、内蓋を傾斜させることにより点検穴を挿通させて、該点検穴の周囲の内側に内蓋を接合するとともに、該点検穴の周囲の外側に外蓋を接合してから、両者を前記ネジ部材とナット部材との螺合により締め付けることにより、前記点検穴を気密に閉塞し、前記締め付け力の解除とバネ部材の弾性復帰力とにより、両者を確実に離間して、点検穴を開放することができる。
【００１０】
したがって、例えば焼肉店や家庭内に設置可能な排気ダクト用点検窓に適用したとすると、その付着した油がネジ部材とナット部材との螺合部分に入り込みにくくなっており、仮に入り込んだとしても、前記バネ部材の弾性復帰力が作用することにより、動作不良を生じることがない。その結果、ダクト内の点検と付着油の除去とが容易となり、該排気ダクト内の油の除去による火災防止を図ることができる。
【００１１】
請求項２記載の考案のように、前記ネジ部材の先端に、前記内蓋を傾斜させるためのレバーを設けていることが好ましい。
【００１２】
請求項２記載の考案によれば、前記ネジ部材の先端に、前記内蓋を傾斜させるためのレバーを設けているので、操作しやすい。
【００１３】
請求項３記載の考案のように、内蓋に、ダクトの点検穴の周囲に当接可能なパッキンを設けていることが好ましい。
【００１４】
請求項３記載の考案によれば、内蓋に、ダクトの点検穴の周囲に当接可能なパッキンを設けているので、油がネジ部材とナット部材との螺合部分に入り込んで固着することから動作不良を生じることがない。その結果、油の除去による火災防止を図ることができる。
【００１５】
請求項４記載の考案のように、内蓋と点検穴とはともに四角形であり、内蓋の長辺は点検穴の対角線よりも短くて、内蓋の短辺は点検穴の短辺よりも長いことが好ましい。
【００１６】
請求項４記載の考案によれば、内蓋と点検穴とはともに四角形であり、内蓋の長辺は点検穴の対角線よりも短くて、内蓋の短辺は点検穴の短辺よりも長いので、点検穴に内蓋をセットすることが簡単になる。
【考案の効果】
【００１７】
本考案によれば、内蓋を傾斜させることにより点検穴を挿通させて、該点検穴の周囲の内側に内蓋を接合するとともに、該点検穴の周囲の外側に外蓋を接合してから、両者を前記ネジ部材とナット部材との螺合により締め付けることにより、前記点検穴を気密に閉塞し、前記締め付け力の解除とバネ部材の弾性復帰力とにより、両者を確実に離間して、点検穴を開放することができる。
【００１８】
したがって、例えば焼肉店や家庭内に設置可能な排気ダクト用の点検窓に適用したとすると、その付着した油がネジ部材とナット部材との螺合部分に入り込みにくくなっており、仮に入り込んだとしても、前記バネ部材の弾性復帰力が作用することにより、動作不良を生じることがない。その結果、ダクト内の点検と付着油の除去とが容易となり、該排気ダクト内の油の除去による火災防止を図ることができる。
【図面の簡単な説明】
【００１９】
【図１】本考案の一実施形態に係る排気ダクト用点検窓の全体構造を示す斜視図である。
【図２】本考案の一実施形態に係る排気ダクト用点検窓の断面図である。
【図３】本考案の一実施形態に係る排気ダクト用点検窓の操作説明図である。
【図４】本考案の実施例１に係る排気ダクト用点検窓の全体構造を示す斜視図である。
【図５】本考案の実施例１に係る排気ダクト用点検窓の操作説明図である。
【図６】本考案の実施例２に係る排気ダクト用点検窓の全体構造を示す斜視図である。
【考案を実施するための形態】
【００２０】
図１は本考案の一実施形態に係る排気ダクト用点検窓１の全体構造を示す斜視図、図２はその断面図である。
【００２１】
この点検窓１は、図１，図２に示すように、排気ダクト（ダクトに相当する。）９の外周又は端面に形成された開口部（点検穴に相当する。）１０の周囲を挟み込むようにしてその開口部１０を塞ぐことができるものであって、排気ダクト９の外側に保持可能な外蓋２と、排気ダクト９に対して傾斜させることにより、開口部１０を通過可能な内蓋３と、内蓋３に基部を固定したネジ部材４と、ネジ部材４にバネ部材５としてのコイルバネなどを介して遊嵌された外蓋２のさらに外側に螺合可能なナット部材６とを備えている。そして、各要素の諸寸法は、その取り付け箇所に応じて設定されており、各要素の材質は、耐食性等を考慮して、概ねステンレス鋼製としている。
【００２２】
例えば排気ダクト９は角ダクトであって、開口部１０はその上面の平坦部分を四角形状に切り欠いたものであるとする。外蓋２と内蓋３とは、ともに開口部１０より３ｃｍ程度大きく形成された四角形状のものであり、その中央部分が開口部１０とほぼ等しい面積だけ若干上方に突出させて、外観が伏せた角皿状をなしている。
【００２３】
ネジ部材４は、外蓋２と内蓋３との中央を貫通する丸穴に挿入されているが、その基部のヘッド部分が内蓋３の突出部内において回転不可能に取り付けられている。また、ネジ部材４の中間部分には、バネ部材５が伸縮自在に挿通され、その下端は内蓋３の上面に当接し、上端は外蓋２の突出部内の下面に当接している。外蓋２は、ネジ部材４に対して回転自在で、かつ、傾斜自在となっているが、この外蓋２の上面にナット部材６があって、ネジ部材４と螺合している。さらに、ネジ部材４の先端には、少なくとも内蓋３を傾斜させるためのレバー７を設けている。
【００２４】
また、内蓋３の周囲の上面には、開口部１０の周囲の下面に当接可能なパッキン８が、その内蓋３の突出部分を取り囲むように貼着されている。パッキン８は不燃性又は難燃性の材料から作られている。そして、内蓋３と排気ダクト９の開口部１０の周囲との間に介装されたパッキン８だけで気密を保持するようになっている。このような構造により、特許文献１と異なり、排気ダクト９で排出されるガス中の油がネジ部材４とナット部材６との螺合部分やバネ部材５に入り込んでそれらの動作不良を生じることがないようになっている。
【００２５】
ところで、内蓋３と開口部１０とはともに四角形であるが、内蓋３は開口部１０よりも若干大きく作られている。このため、内蓋３を排気ダクト９と平行な姿勢のままで開口部１０を通過させることは困難である。そこで、内蓋３の長辺は開口部１０の対角線よりも短くて、内蓋３の短辺は開口部１０の短辺よりも長く設定している。これにより、開口部１０に内蓋３を三次元的に傾斜させた状態で挿入して、その内側にセットすることができるようにしている。
【００２６】
図３は本点検窓１の操作説明図である。以下、図１〜図３を参照して、本点検窓１の操作手順を説明する。
【００２７】
本点検窓１を排気ダクト９の開口部１０に装着する場合は、まず図３（ａ）に示すように、操作者は、レバー７を持ったまま、ナット部材６を半反時計回り方向（図１のＡ方向と逆向きである。）に回転させる。これにより、外蓋２をネジ部材４の上端近くに戻して、外蓋２と内蓋３との間隔を十分に開けておく。
【００２８】
ついで、図３（ｂ）に示すように、操作者は、レバー７を持ったまま、開口部１０に対して、外蓋２と内蓋３とを三次元方向（例えば左奥下がり）に傾斜させる。そして、外蓋２は開口部１０の外側に保持したまま、内蓋３だけを開口部１０の対角線を通るようにしてその内側に挿入する。このためには、内蓋３が開口部１０潜らせてから、その傾斜をもとに戻す。（図１中のＢはこの様子を模式的に示している）。
【００２９】
ついで、図３（ｃ）に示すように、操作者は、レバー７を持ったまま、開口部１０の周囲の下側に、内蓋３の周囲に取り付けられたパッキン８の上側を対向させる。
【００３０】
ついで、図３（ｄ）に示すように、操作者は、レバー７を持ったまま、ナット部材６を時計回り方向（図１のＡ方向）に回転させることにより、内蓋３の周囲を開口部１０に固定したまま、外蓋２が供回りしないように押し下げる。すると、外蓋２と内蓋３との間に介装されたバネ部材５が圧縮されて、両者間に開口部１０が挟み込まれる。このとき、内蓋３の周囲は、開口部１０の周囲にパッキン８が当接しており、ここで開口部１０が気密に閉塞される。したがって、バネ部材５やネジ部材４とナット部材６との螺合部分などの動作部分は、排気ガスと接触することがない。
【００３１】
排気ダクト９の点検時には、ナット部材６を逆回転（図１のＡ方向と逆向きである。）させる。すると、バネ部材５が伸長することで、外蓋２と内蓋３との圧着状態が解除される。そして、上記と逆手順で、排気ダクト９の開口部１０から点検窓１を開放し、その開口部１０から点検等をすることができる。このとき、油が付着していると、これを除去することにより、防火を図ることができる。
【００３２】
以上説明したように、本点検窓１によれば、内蓋３を傾斜させることにより開口部１０を挿通させて、この開口部１０の周囲の内側に内蓋３を接合するとともに、この開口部１０の周囲の外側に外蓋２を接合してから、両者をネジ部材４とナット部材６との螺合により締め付けることにより、開口部１０を気密に閉塞し、前記締め付け力の解除とバネ部材５の弾性復帰力とにより、両者を確実に離間して、開口部１０を開放することができる。
【００３３】
したがって、例えば焼肉店や家庭内に設置可能な排気ダクト用点検窓１に適用したとすると、その付着した油がネジ部材４とナット部材６との螺合部分に入り込みにくくなっており、仮に入り込んだとしても、バネ部材５の弾性復帰力が作用することにより、動作不良を生じることがない。その結果、排気ダクト９内の点検と付着油の除去とが容易となり、この排気ダクト９内の油の除去による火災防止を図ることができる。
【００３４】
また、ネジ部材４の先端に、内蓋３を傾斜させるためのレバー７を設けているので、操作しやすい。
【００３５】
また、内蓋３の周囲に、排気ダクト９の開口部１０の周囲に当接可能なパッキン８を設けているので、油がネジ部材４とナット部材６との螺合部分に入り込んで固着することから動作不良を生じることがない。その結果、油の除去による火災防止をより確実に図ることができる。
【００３６】
また、内蓋３と開口部１０とはともに四角形であり、内蓋３の長辺は開口部１０の対角線よりも短くて、内蓋３の短辺は開口部１０の短辺よりも長いので、開口部１０に内蓋３をセットすることが簡単になる。
【００３７】
なお、上記実施形態では、排気ダクト９の断面が角型であって、その外周又は端面に装着する場合は、外蓋２と内蓋３とは平坦な四角形の板の中央部分を若干だけ突出させた角皿形状のものでよいが、その端面のみに装着する場合は、外蓋２と内蓋３とは平坦な円形の板の中央部分を若干だけ突出させた丸皿形状のものでもよい。さらに、外蓋２と内蓋３とを鞍型形状とすれば、断面丸型のダクト（丸ダクト）に対応することができる（後述する実施例１参照）。
【００３８】
また、上記実施形態では、排気ダクト９の開口部１０の形状に合わせて、外蓋２と内蓋３とを四角形状としているが、開口部１０が正方形の場合は、外蓋２と内蓋３とを正方形としてもよい。さらに、外蓋２と内蓋３との各周囲の角部には、適当なアールをつけてもよいのはもちろんである（後述する実施例２参照）。
【００３９】
また、上記実施形態では、内蓋３を傾斜させるためのレバー７を設けているが、このレバー７に代えてハンドルを設けてもよい。さらにレバー７は、ネジ部材４に固定しているが、それが邪魔になる場合などには、取り外し可能なものとしておいてもよい。
【００４０】
また、上記実施形態では、排気ダクト用点検窓１を説明しているが、本考案の適用範囲はこれに限定されず、例えば空調用ダクトの点検窓にも応用可能である。
【実施例】
【００４１】
図４は実施例１に係る排気ダクト用点検窓１ａの全体構成を示す図であって、（ａ）は平面図、（ｂ）は断面図を示しているが、図５はその操作例を示している。この排気ダクト用点検窓１ａは、図４（ａ）（ｂ）に示すように、排気ダクト９ａとしての丸ダクトに対応するもので、その外蓋２ａと内蓋３ａとを鞍型形状にしている。そして、図５に示すように、本点検窓１ａの外蓋２ａとともに内蓋３ａを傾斜させることにより開口部１０ａを挿通させて、この開口部１０ａの周囲の内側に内蓋３ａを接合するとともに、この開口部１０ａの周囲の外側に外蓋２ａを接合してから、両者をネジ部材４とナット部材６との螺合により締め付けることにより、開口部１０ａを気密に閉塞し、前記締め付け力の解除とバネ部材（不図示。）の弾性復帰力とにより、両者を確実に離間して、開口部１０ａを開放することができる。
【００４２】
したがって、例えば焼肉店や家庭内に設置可能な排気ダクト用点検窓１ａに適用したとすると、その付着した油がネジ部材４とナット部材６との螺合部分に入り込みにくくなっており、仮に入り込んだとしても、バネ部材の弾性復帰力が作用することにより、動作不良を生じることがない。その結果、排気ダクト９ａ内の点検と付着油の除去とが容易となり、この排気ダクト９ａ内の油の除去による火災防止を図ることができる。また、ネジ部材４の先端に、内蓋３を傾斜させるためのレバー７を設けているので、操作しやすい。また、内蓋３ａの周囲に、排気ダクト９ａの開口部１０ａの周囲に当接可能なパッキン８を設けているので、油がネジ部材４とナット部材６との螺合部分に入り込んで固着することから動作不良を生じることがない。その結果、油の除去による火災防止をより確実に図ることができる。
【００４３】
図６は実施例２に係る排気ダクト用点検窓１ｂの全体構成を示す図であって、（ａ）は平面図、（ｂ）は断面図を示している。この排気ダクト用点検窓１ｂは、図６（ａ）（ｂ）に示すように、角ダクト９ａに対応するもので、その外蓋２ｂと内蓋３ｂとの各周囲の角部には、適当なアールをつけている。そして、上記と同様に、本点検窓１ｂの外蓋３ｂとともに内蓋３ｂを傾斜させることにより開口部１０ｂを挿通させて、この開口部１０ｂの周囲の内側に内蓋３ｂを接合するとともに、この開口部１０ｂの周囲の外側に外蓋２ｂを接合してから、両者をネジ部材４とナット部材６との螺合により締め付けることにより、開口部１０ｂを気密に閉塞し、前記締め付け力の解除とバネ部材５ｂとしての板バネの弾性復帰力とにより、両者を確実に離間して、開口部１０ｂを開放することができる。
【００４４】
したがって、例えば焼肉店や家庭内に設置可能な排気ダクト用点検窓１ａに適用したとすると、その付着した油がネジ部材４とナット部材６との螺合部分に入り込みにくくなっており、仮に入り込んだとしても、バネ部材５ｂの弾性復帰力が作用することにより、動作不良を生じることがない。その結果、排気ダクト９ｂ内の点検と付着油の除去とが容易となり、この排気ダクト９ｂ内の油の除去による火災防止を図ることができる。また、ネジ部材４の先端に、内蓋３を傾斜させるためのレバー７を設けているので、操作しやすい。また、内蓋３ｂの周囲に、排気ダクト９ｂの開口部１０ｂの周囲に当接可能なパッキン８を設けているので、油がネジ部材４とナット部材６との螺合部分に入り込んで固着することから動作不良を生じることがない。その結果、油の除去による火災防止をより確実に図ることができる。
【符号の説明】
【００４５】
１  点検窓
２  外蓋
３  内蓋
４  ネジ部材
５  バネ部材
６  ナット部材
７  レバー
８  パッキン
９  排気ダクト（ダクトに相当する。）
１０  開口部（点検穴に相当する。）
【先行技術文献】
【特許文献】
【００４６】
【特許文献１】実開平３−２７５４０号公報
【図１】
0003215946.tif 000003
【図２】
0003215946.tif 000004
【図３】
0003215946.tif 000005
【図４】
0003215946.tif 000006
【図５】
0003215946.tif 000007
【図６】
0003215946.tif 000008
【手続補正書】
【提出日】平成30年2月21日(2018.2.21)
【手続補正１】
【補正対象書類名】実用新案登録請求の範囲
【補正対象項目名】請求項１
【補正方法】変更
【補正の内容】
【請求項１】
ダクトに形成された点検穴の周囲を外蓋と内蓋との間に挟み込むようにして該点検穴を塞ぐことができるダクト用点検窓であって、
前記内蓋は、該内蓋を傾斜させることにより、前記点検穴を挿通可能な寸法形状を有するとともに、
前記内蓋に立設したネジ部材と、
前記ネジ部材にバネ部材を介して遊嵌された前記外蓋のさらに外側に螺合可能なナット部材と、
を備えていることを特徴とするダクト用点検窓。
【手続補正２】
【補正対象書類名】明細書
【補正対象項目名】０００８
【補正方法】変更
【補正の内容】
【０００８】
本考案は、ダクトに形成された点検穴の周囲を外蓋と内蓋との間に挟み込むようにして該点検穴を塞ぐことができるダクト用点検窓であって、前記内蓋は、該内蓋を傾斜させることにより、前記点検穴を挿通可能な寸法形状を有するとともに、前記内蓋に立設したネジ部材と、前記ネジ部材にバネ部材を介して遊嵌された前記外蓋のさらに外側に螺合可能なナット部材とを備えていることを特徴とするものである。